(57)【要約】【課題】オフセット画像に含まれるノイズを低減する。【解決手段】放射線撮像装置は、入射した放射線の量に応じた信号を生成するセンサ部と、センサ部から信号を読み出す読み出し部と、放射線が照射されていない状態のセンサ部から、第１画像を生成するための信号を読み出す第１読み出し動作と、放射線が照射された状態のセンサ部から、第２画像を生成するための信号を読み出す第２読み出し動作とを読み出し部に行わせる制御部とを有する。制御部は、第１画像に含まれるノイズが第２画像に含まれるノイズよりも少なくなるように、第１読み出し動作と第２読み出し動作とで読み出し部の駆動動作を切り替える。【選択図】図３
2017046073.tif 000002
【特許請求の範囲】
【請求項１】
入射した放射線の量に応じた信号を生成するセンサ部と、
前記センサ部から信号を読み出す読み出し部と、
放射線が照射されていない状態の前記センサ部から、第１画像を生成するための信号を読み出す第１読み出し動作と、放射線が照射された状態の前記センサ部から、第２画像を生成するための信号を読み出す第２読み出し動作とを前記読み出し部に行わせる制御部とを備え、
前記制御部は、前記第１画像に含まれるノイズが前記第２画像に含まれるノイズよりも少なくなるように、前記第１読み出し動作と前記第２読み出し動作とで前記読み出し部の駆動動作を切り替える
ことを特徴とする放射線撮像装置。
【請求項２】
前記読み出し部は、前記第１読み出し動作及び前記第２読み出し動作において得られる信号をフィルタリングするためのフィルタ回路を含み、
前記制御部は、前記第１読み出し動作と前記第２読み出し動作とで前記フィルタ回路の設定を切り替える
ことを特徴とする請求項１に記載の放射線撮像装置。
【請求項３】
前記制御部は、前記第１読み出し動作における前記フィルタ回路の通過帯域が前記第２読み出し動作における前記フィルタ回路の通過帯域よりも狭くなるように、前記フィルタ回路の設定を切り替える
ことを特徴とする請求項２に記載の放射線撮像装置。
【請求項４】
前記フィルタ回路は、可変抵抗素子を有するローパスフィルタであり、
前記制御部は、前記第１読み出し動作における前記可変抵抗素子の抵抗値が前記第２読み出し動作における前記可変抵抗素子の抵抗値よりも大きくなるように、前記可変抵抗素子の抵抗値を切り替える
ことを特徴とする請求項３に記載の放射線撮像装置。
【請求項５】
前記読み出し部は、前記第１読み出し動作及び前記第２読み出し動作において得られる信号を保持するためのサンプルホールド回路を含み、
前記制御部は、前記第１読み出し動作と前記第２読み出し動作とで前記サンプルホールド回路の駆動動作を切り替える
ことを特徴とする請求項１乃至４の何れか１項に記載の放射線撮像装置。
【請求項６】
前記制御部は、前記第１読み出し動作におけるサンプリングモードの継続時間が前記第２読み出し動作におけるサンプリングモードの継続時間よりも長くなるように、前記サンプルホールド回路を駆動する
ことを特徴とする請求項５に記載の放射線撮像装置。
【請求項７】
前記サンプルホールド回路は、第１サンプルホールド回路と第２サンプルホールド回路とを有し、
前記第１読み出し動作及び前記第２読み出し動作とのそれぞれは、前記センサ部からの信号が前記読み出し部に転送されていない状態で前記読み出し回路で得られた信号を前記第１サンプルホールド回路に保持した後に、前記センサ部からの信号が前記読み出し部に転送されている状態で前記読み出し回路で得られた信号を前記第２サンプルホールド回路に保持する第１保持動作を含み、
前記第１読み出し動作はさらに、前記センサ部からの信号が前記読み出し部に転送されていない状態で前記読み出し回路で得られた信号を前記第１サンプルホールド回路に保持した後に、前記センサ部からの信号が前記読み出し部に転送されていない状態で前記読み出し回路で得られた信号を前記第２サンプルホールド回路に保持する第２保持動作を含み、
前記第１画像は、前記第１保持動作で保持された信号と、前記第２保持動作で保持された信号とに基づいて生成される
ことを特徴とする請求項５又は６に記載の放射線撮像装置。
【請求項８】
前記読み出し回路は、増幅回路を備え、
前記第２保持動作において、前記第２サンプルホールド回路への信号の保持は、前記増幅回路のリセット後に行われ、
前記第１読み出し動作はさらに、前記増幅回路のリセット中に前記センサ部からの信号が前記読み出し部に転送されていない状態で前記読み出し回路で得られた信号を前記増幅回路のリセット中に前記第１サンプルホールド回路に保持した後に、前記センサ部からの信号が前記読み出し部に転送されていない状態で前記読み出し回路で得られた信号を前記増幅回路のリセット中に前記第２サンプルホールド回路に保持する第３保持動作を含み、
前記第１画像は、前記第３保持動作で保持された信号にさらに基づいて生成される
ことを特徴とする請求項７に記載の放射線撮像装置。
【請求項９】
１枚の前記第１画像を生成するための信号の読出しにかかる時間と、１枚の前記第２画像を生成するための信号の読出しにかかる時間とが互いに等しいことを特徴とする請求項１乃至８の何れか１項に記載の放射線撮像装置。
【請求項１０】
前記制御部は、前記第１画像に含まれるノイズ量が閾値を超える場合に、当該第１画像の取得に用いられた駆動動作とは異なる駆動動作によって前記第１読み出し動作を前記読み出し部に行わせる
ことを特徴とする請求項１乃至９の何れか１項に記載の放射線撮像装置。
【請求項１１】
前記放射線撮像装置は、前記第１読み出し動作によって前記センサ部から読み出された信号に基づいて前記第１画像を生成し、前記第２読み出し動作によって前記センサ部から読み出された信号に基づいて前記第２画像を生成する信号処理部をさらに備える
ことを特徴とする請求項１乃至１０の何れか１項に記載の放射線撮像装置。
【請求項１２】
入射した放射線の量に応じた信号を生成するセンサ部と、
前記センサ部から信号を読み出す読み出し部とを備える放射線撮像装置の制御方法であって、
放射線が照射されていない状態の前記センサ部から、第１画像を生成するための信号を読み出す第１読み出し動作を前記読み出し部に行わせる工程と、
放射線が照射された状態の前記センサ部から、第２画像を生成するための信号を読み出す第２読み出し動作とを前記読み出し部に行わせる工程とを有し、
前記第１画像に含まれるノイズが前記第２画像に含まれるノイズよりも少なくなるように、前記第１読み出し動作と前記第２読み出し動作とで前記読み出し部の駆動動作を切り替える
ことを特徴とする制御方法。
【請求項１３】
請求項１２に記載の制御方法の各工程をコンピュータに実行させるためのプログラム。
【発明の詳細な説明】
【技術分野】
【０００１】
本発明は、放射線撮像装置、その制御方法及びプログラムに関する。
【背景技術】
【０００２】
医療分野などにおいて、被写体を透過した放射線の量に応じた放射線画像を生成する放射線撮像装置が実用化されている。特許文献１には、放射線が照射されていない状態で放射線検出器から取得したオフセット画像を用いて被験者画像を補正する放射線撮像装置が記載されている。この放射線撮像装置は、オフセット画像を定期的に更新し、放射線撮像装置の外部からのノイズがオフセット画像に含まれると判定した場合に、その回のオフセット画像の更新を中止する。
【先行技術文献】
【特許文献】
【０００３】
【特許文献１】特開２０１３−２１４７９３号公報
【発明の概要】
【発明が解決しようとする課題】
【０００４】
特許文献１に記載された方法では、オフセット画像の更新が行われなかった場合、以前に取得したオフセット画像を用いて被験者画像を補正する。被験者画像に含まれるオフセット成分は時間の経過とともに変わりうるので、古いオフセット画像を用いて被験者画像を精度よく補正することは困難である。オフセット画像に含まれるノイズが少なければ、オフセット画像の更新を中止しなくてすむ。そこで、本発明は、オフセット画像に含まれるノイズを低減するための技術を提供することを目的とする。
【課題を解決するための手段】
【０００５】
上記課題に鑑みて、入射した放射線の量に応じた信号を生成するセンサ部と、前記センサ部から信号を読み出す読み出し部と、放射線が照射されていない状態の前記センサ部から、第１画像を生成するための信号を読み出す第１読み出し動作と、放射線が照射された状態の前記センサ部から、第２画像を生成するための信号を読み出す第２読み出し動作とを前記読み出し部に行わせる制御部とを備え、前記制御部は、前記第１画像に含まれるノイズが前記第２画像に含まれるノイズよりも少なくなるように、前記第１読み出し動作と前記第２読み出し動作とで前記読み出し部の駆動動作を切り替えることを特徴とする放射線撮像装置が提供される。
【発明の効果】
【０００６】
上記手段により、オフセット画像に含まれるノイズを低減するための技術が提供される。
【図面の簡単な説明】
【０００７】
【図１】一部の実施形態の放射線撮像装置の構成を説明する図。
【図２】一部の実施形態の列アンプの構成を説明する図。
【図３】図１の放射線撮像装置の動作例を説明する図。
【図４】図１の放射線撮像装置の動作例を説明する図。
【図５】図１の放射線撮像装置のフィルタ回路の通過帯域を説明する図。
【図６】図１の放射線撮像装置の動作例を説明する図。
【図７】図１の放射線撮像装置の動作例を説明する図。
【図８】図１の放射線撮像装置の動作例を説明する図。
【図９】一部の実施形態の放射線撮像システムの構成を説明する図。
【図１０】一部の実施形態の放射線撮像システムの構成を説明する図。
【発明を実施するための形態】
【０００８】
添付の図面を参照しつつ本発明の実施形態について以下に説明する。様々な実施形態を通じて同様の要素には同一の参照符号を付し、重複する説明を省略する。また、各実施形態は適宜変更、組み合わせが可能である。本明細書で、放射線はＸ線、α線、β線及びγ線を含み、光は可視光及び赤外線を含む。
【０００９】
図１を参照して、一部の実施形態に係る放射線撮像装置１００の構成について説明する。放射線撮像装置１００は、図１に示す各構成要素を有する。センサ部１０５には画素が２次元アレイ状に配されている。各画素は、センサＳと、スイッチ素子Ｔとを含む。図１の例では、説明を簡単にするために、センサ部１０５が３行３列の画素を含む場合を扱う。センサ部１０５に含まれる画素数はこれに限られず、一般的にはより多くの画素がセンサ部１０５に含まれる。画素の横方向の並びを行と呼び、縦方向の並びを列と呼ぶ。図１では、ｉ行ｊ列（１≦ｉ≦３、１≦ｊ≦３）に含まれるセンサＳ、スイッチ素子ＴをそれぞれＳｉｊ、Ｔｉｊで表す。
【００１０】
センサＳは、センサ部１０５に入射した放射線の量に応じた信号を生成する。例えば、センサＳは、放射線を直接に電荷に変換する変換素子であってもよい。これに代えて、センサＳは、放射線を光に変換するシンチレータと、この光を電荷に変換する光電変換素子との組み合わせであってもよい。センサＳがシンチレータを含む場合に、シンチレータはセンサ部１０５全体にわたって共通に配されてもよい。センサＳはさらに、放射線又は光から変換された電荷を蓄積する。
【００１１】
スイッチ素子Ｔは、例えばトランジスタである。センサＳ及びスイッチ素子Ｔは、ガラス基板の上に主にアモルファスシリコンによって形成されてもよい。この場合に、スイッチ素子Ｔは、ＴＦＴ（薄膜トランジスタ）であってもよい。
【００１２】
行方向に並んだ複数の画素（画素行）ごとに駆動線Ｖｇが配されている。図１では、ｉ行（１≦ｉ≦３）に含まれる駆動線ＶｇをＶｇｉで表す。各駆動線Ｖｇは、同じ行に含まれる複数の画素のスイッチ素子Ｔのゲートに共通に接続されている。また、列方向に並んだ複数の画素（画素列）ごとに信号線Ｓｉｇが配されている。図１では、ｊ行（１≦ｊ≦３）に含まれる信号線ＳｉｇをＳｉｇｊで表す。各信号線Ｓｉｇは、同じ列に含まれる複数の画素のスイッチ素子Ｔの一方の主電極に共通に接続されている。スイッチ素子Ｔの他方の主電極は、当該スイッチ素子Ｔと同一の画素に含まれるセンサＳの一端に接続されている。センサＳの他端には、電源回路１０４からバイアス電圧Ｖｓが供給される。
【００１３】
駆動回路１０６は、駆動線Ｖｇを通じてスイッチ素子Ｔのゲートに駆動信号を供給する。駆動信号がオン電圧の場合に、スイッチ素子Ｔはオンとなり、センサＳと信号線Ｓｉｇとの間が導通状態となる。そのため、センサＳに蓄積されている電荷がスイッチ素子Ｔを通じて信号線Ｓｉｇに転送される。駆動信号がオフ電圧の場合に、スイッチ素子Ｔはオフとなり、センサＳと信号線Ｓｉｇとの間が非導通状態となる。そのため、センサＳは自身で発生した電荷を蓄積する。駆動回路１０６は、制御回路１０２からの指示に従って、駆動線Ｖｇに供給する駆動信号の電圧を切り替える。
【００１４】
センサＳから信号線Ｓｉｇに転送された電荷は、信号線Ｓｉｇの一端に接続された読み出し回路１０１に供給される。読み出し回路１０１は、この電荷を増幅し、デジタル信号に変換した後、信号処理回路１０３に供給する。具体的に、読み出し回路１０１は、信号線Ｓｉｇに個別に接続された複数の列アンプ１０７〜１０９と、マルチプレクサ１１０と、減算器１１１と、ＡＤ変換器１１２とを含む。
【００１５】
列アンプ１０７〜１０９はそれぞれ、センサＳから信号線Ｓｉｇに転送された電荷を電圧に変換し、この電圧をマルチプレクサ１１０に供給する。列アンプ１０７〜１０９のそれぞれは、センサＳから信号線Ｓｉｇに電荷が転送されていない状態における列アンプの出力をマルチプレクサ１１０にさらに供給する。列アンプ１０７〜１０９には、電源回路１０４から基準電圧Ｖｒｅｆが供給される。マルチプレクサ１１０は、制御回路１０２からの指示に応じて、複数の列アンプ１０７〜１０９の何れか１つからの信号を選択して減算器１１１へ供給する。減算器１１１は、マルチプレクサ１１０によって選択された何れかの列アンプからの２つの出力の差分をＡＤ変換器１１２に供給する。ＡＤ変換器１１２は、供給されたアナログ信号をデジタル信号に変換し、このデジタル信号を信号処理回路１０３へ供給する。
【００１６】
信号処理回路１０３は、供給されたデジタル信号を処理することによって得られるデータを制御システム（図１には不図示）へ送信する。電源回路１０４は、上述のバイアス電圧Ｖｓ、基準電圧Ｖｒｅｆのほかに、放射線撮像装置１００の各構成要素が使用する電力を供給する。制御回路１０２は、読み出し回路１０１、駆動回路１０６及び信号処理回路１０３に制御信号を供給して、これらの動作を制御する。信号処理回路１０３と制御回路１０２との少なくとも一方は、専用回路によって実現されるのではなく、ＣＰＵ等の汎用処理回路がプログラムを実行することによって、信号処理部や制御部として実現されてもよい。
【００１７】
続いて、図２を参照して、図１の列アンプ１０７の構成例について説明する。他の列アンプ１０８、１０９も列アンプ１０７と同様の構成であってもよい。列アンプ１０７は、積分アンプ２０１と、サンプルホールド回路２０２（以下、サンプルホールド回路をＳＨ回路と表す）と、ローパスフィルタ２０３とを含む。図２の例では、ＳＨ回路２０２とローパスフィルタ２０３とが同じ回路素子を共有する。
【００１８】
積分アンプ２０１は、列アンプ１０７に供給された電荷を電圧に変換する増幅回路である。具体的に、積分アンプは、図２に示す回路素子を有する。オペアンプＯＰの反転入力端子には信号線Ｓｉｇ１が接続され、オペアンプＯＰの非反転入力端子には電源回路１０４から基準電圧Ｖｒｅｆが供給される。オペアンプＯＰの反転入力端子と出力端子との間に、スイッチ素子ＳＷ＿Ｃｆ１、ＳＷ＿Ｃｆ２をそれぞれ介して、容量素子Ｃ＿Ｃｆ１、Ｃ＿Ｃｆ２が並列に接続されている。スイッチ素子ＳＷ＿Ｃｆ１、ＳＷ＿Ｃｆ２のオン・オフは、制御回路１０２から供給される制御信号Ｃｆ１、Ｃｆ２によってそれぞれ制御される。制御回路１０２は、スイッチ素子ＳＷ＿Ｃｆ１、ＳＷ＿Ｃｆ２のオン・オフを切り替えることによって、積分アンプ２０１のゲインを切り替える。
【００１９】
オペアンプＯＰの反転入力端子と出力端子との間に、スイッチ素子ＳＷ＿ＲＳＴがさらに接続されている。スイッチ素子ＳＷ＿ＲＳＴのオン・オフは、制御回路１０２から供給される制御信号ＲＳＴによって制御される。スイッチ素子ＳＷ＿ＲＳＴがオンになると、オペアンプＯＰの反転入力端子と出力端子との間が導通状態となり、積分アンプ２０１がリセットされる。
【００２０】
ＳＨ回路２０２は、それぞれアナログ信号を保持する保持動作を行う第１ＳＨ回路２０２ａ及び第１ＳＨ回路２０２ｂを含む。第１ＳＨ回路２０２ａは、容量素子Ｃ＿ＳＨ１と、容量素子Ｃ＿ＳＨ１の一方の電極に接続されたスイッチ素子ＳＷ＿ＣＤＳ１とによって構成される。第１ＳＨ回路２０２ｂは、容量素子Ｃ＿ＳＨ２と、容量素子Ｃ＿ＳＨ２の一方の電極に接続されたスイッチ素子ＳＷ＿ＣＤＳ２とによって構成される。スイッチ素子ＳＷ＿ＣＤＳ１、ＳＷ＿ＣＤＳ２のオン・オフは、制御回路１０２から供給される制御信号ＣＤＳ１、ＣＤＳ２によってそれぞれ制御される。スイッチ素子ＳＷ＿ＣＤＳ１がオフからオンに切り替わると、第１ＳＨ回路２０２ａはホールドモードからサンプリングモードに切り替わる。サンプリングモードの間、第１ＳＨ回路２０２ａへの入力信号が容量素子Ｃ＿ＳＨ１に充電される。スイッチ素子ＳＷ＿ＣＤＳ１がオンからオフに切り替わると、第１ＳＨ回路２０２ａはサンプリングモードからホールドモードに切り替わる。ホールドモードの間、容量素子Ｃ＿ＳＨ１に保持されている信号がホールド（固定）される。第１ＳＨ回路２０２ｂについても同様である。
【００２１】
積分アンプ２０１とＳＨ回路２０２との間に可変抵抗素子Ｒ＿ＬＰＦが接続されている。可変抵抗素子Ｒ＿ＬＰＦは、制御回路１０２から供給される制御信号に応じて、自身の抵抗値を変更する。スイッチ素子ＳＷ＿ＣＤＳ１がオンになると、可変抵抗素子Ｒ＿ＬＰＦと容量素子Ｃ＿ＳＨ１との間が導通状態となり、可変抵抗素子Ｒ＿ＬＰＦと容量素子Ｃ＿ＳＨ１とによってローパスフィルタが形成される。ローパスフィルタは、積分アンプ２０１から得られる信号をフィルタリングするためのフィルタ回路である。ローパスフィルタでフィルタリングされた信号は、容量素子Ｃ＿ＳＨ１に保持される。この状態でスイッチ素子ＳＷ＿ＣＤＳ１がオフになると、容量素子Ｃ＿ＳＨ１に保持された電圧信号がホールドされ、その後もマルチプレクサ１１０へ供給される。スイッチ素子ＳＷ＿ＣＤＳ２がオンになった場合も同様にして容量素子Ｃ＿ＳＨ２に電圧信号がホールドされ、その後もマルチプレクサ１１０へ供給される。
【００２２】
続いて、図３のタイミング図を参照して、放射線撮像装置１００の動作例について説明する。図３の「放射線」は、放射線撮像装置１００に放射線が照射されているかを示し、ローレベルの場合に放射線が照射されておらず、ハイレベルの場合に放射線が照射されている。図３の「動作」は放射線撮像装置１００が行う動作を示す。「Ｒ＿ＬＰＦ」は、一部の実施形態に係る可変抵抗素子Ｒ＿ＬＰＦの抵抗値の変化を示す。
【００２３】
放射線撮像装置１００は、主に、オフセット信号読み出し動作（時刻Ｔ１〜Ｔ２）、待機動作（時刻Ｔ２〜Ｔ３）及び放射線信号読み出し動作（時刻Ｔ３〜）を行う。オフセット信号読み出し動作とは、放射線が照射されていない状態のセンサ部１０５で発生した電荷信号をセンサ部１０５から読み出す動作のことである。信号処理回路１０３は、オフセット信号読み出し動作によって読み出された信号（以下、オフセット信号と呼ぶ）に基づいてオフセット画像を生成する。待機動作とは、放射線信号読み出し動作が始まるのを待機している間にセンサ部１０５に蓄積された電荷をリセットする動作である。放射線信号読み出し動作とは、放射線が照射された状態のセンサ部１０５で発生した電荷信号をセンサ部１０５から読み出す動作のことである。信号処理回路１０３は、放射線信号読み出し動作によって読み出された信号（以下、放射線信号と呼ぶ）に基づいてオフセット画像を生成する。図３において、１回のオフセット信号読み出し動作（すなわち、センサ部１０５の各画素から１つずつオフセット信号を読み出す動作）をＦ［ｉ］で示す。１回のリセット動作（すなわち、センサ部１０５の各画素をリセットする動作）をＲ［ｉ］で示す。１回の放射線信号読み出し動作（すなわち、センサ部１０５の各画素から１つずつ放射線信号を読み出す動作）をＸ［ｉ］で示す。
【００２４】
放射線画像は、放射線に関する情報だけでなく、センサＳや読み出し回路１０１の特性に由来し、放射線とは無関係な情報も含む。センサＳや読み出し回路１０１の特性に由来し、放射線とは無関係な情報を、以下ではオフセット情報と呼ぶ。オフセット情報には、例えばセンサＳで発生する暗電流や読み出し回路１０１のオフセットなどに関する情報が含まれる。オフセット情報は、同じ画像であっても画素ごとにばらつきを有し、さらには同じ画素であっても画像を取得するタイミングごとにばらつきを有しうる。そこで、放射線撮像装置１００は、オフセット情報を含むオフセット画像を放射線画像とは別に取得し、オフセット画像を放射線画像から減じることによって、このようなばらつきを低減する。放射線撮像装置１００は、オフセット画像を例えば信号処理回路１０３に保存する。
【００２５】
オフセット情報は、放射線撮像装置１００内の温度や、放射線撮像装置１００の回路素子の経年変化などによって変化する。そこで、放射線撮像装置１００は、オフセット画像を適宜取得し、新たに取得したオフセット画像を用いて放射線画像を補正する。放射線撮像装置１００は、前回のオフセット画像取得から事前に設定された時間が経過した場合にオフセット信号読み出し動作を開始してもよいし、ユーザからの指示に応じてオフセット信号読み出し動作を開始してもよい。放射線信号読み出し動作中にオフセット信号を取得することはできないので、放射線撮像装置１００は、放射線信号読み出し動作中にオフセット信号を取得すべきと判定された場合に、その取得を放射線信号読み出し動作が終了するまで保留する。
【００２６】
放射線撮像装置１００は、図３に示す動作例のように、新たにオフセット画像を取得する場合に、３０回のオフセット信号読み出し動作Ｆ［１］〜Ｆ［３０］を連続して行い、３０枚のオフセット画像を取得する。放射線撮像装置１００（具体的に、その信号処理回路１０３）は、この３０枚のオフセット画像を加算平均することによって、放射線画像の補正に用いる１枚のオフセット画像を算出する。補正に用いる１枚のオフセット画像を算出するために放射線撮像装置１００が取得するオフセット画像の枚数は３０枚に限られず、１枚以上の何枚でもよい。
【００２７】
オフセット情報は、センサＳや読み出し回路１０１の特性に由来する情報以外にも様々なノイズを含みうる。このようなノイズには、例えば、他の機器から放射線撮像装置１００に放射される電磁波や、放射線撮像装置１００に搭載されている回路自身が発するノイズ、電源回路１０４に混入するノイズ等が含まれる。このようなノイズはオフセット画像と放射線画像とで互いに異なる値を取り得るので、放射線画像からオフセット画像を減算することによって得られる画像にオフセット画像のノイズがアーチファクトとなって現れることがある。
【００２８】
そこで、放射線撮像装置１００の制御回路１０２は、オフセット画像に含まれるノイズが放射線画像に含まれるノイズよりも少なくなるように、オフセット信号読み出し動作と放射線信号読み出し動作とで、読み出し回路１０１の駆動動作を切り替える。ここで、駆動動作とは、制御回路１０２が読み出し回路１０１の駆動を制御する動作のことであり、例えば制御回路１０２が読み出し回路１０１に制御信号を供給する動作や、制御回路１０２が読み出し回路１０１の設定を行う動作を含む。例えば、制御回路１０２は、読み出し回路１０１に含まれる列アンプ１０７〜１０９の駆動動作を切り替える。より具体的に、制御回路１０２は、列アンプ１０７〜１０９のＳＨ回路２０２とローパスフィルタ２０３との少なくとも一方の駆動動作を切り替える。このように制御回路１０２が読み出し回路１０１の駆動動作を切り替えることによって、オフセット画像に含まれるノイズが低減され、その結果、オフセット画像を用いて補正した後の放射線画像の画質が向上する。また、オフセット画像取得を中止する必要がないので、放射線撮像装置１００の直近の状況に応じたオフセット画像を使用して放射線画像を補正することができる。
【００２９】
続いて、図４及び図５を参照して、第１実施例に係る放射線撮像装置１００の動作例について説明する。第１実施例で、制御回路１０２は、オフセット信号読み出し動作と、放射線信号読み出し動作とで、ローパスフィルタ２０３の設定を切り替える。その他の設定や駆動動作については同じであってもよい。具体的に、図４に示すように、制御回路１０２は、オフセット信号読み出し動作と、放射線信号読み出し動作とで、各回路素子を以下に説明する同じタイミングで駆動する。そして、図３に示すように、制御回路１０２は、オフセット信号読み出し動作中の可変抵抗素子Ｒ＿ＬＰＦの抵抗値を放射線信号読み出し動作中の可変抵抗素子Ｒ＿ＬＰＦの抵抗値よりも高くする。
【００３０】
以下では１回のオフセット信号読み出し動作Ｆ［１］について説明するが、１回の放射線信号読み出し動作Ｘ［１］でも制御回路１０２は同じ駆動動作を行う。両動作の違いは、図３に示すように、オフセット信号読み出し動作Ｆ［１］では放射線撮像装置１００に放射線が照射されていないのに対して、放射線信号読み出し動作Ｘ［１］では放射線撮像装置１００に放射線が照射されるという点である。
【００３１】
オフセット信号読み出し動作Ｆ［１］が始まると、制御回路１０２は、蓄積動作を開始する。蓄積動作で、制御回路１０２は、所定の期間、制御信号ＲＳＴ、ＣＤＳ１、ＣＤＳ２をオフ電圧に維持するとともに、駆動回路１０６が駆動線Ｖｇ１〜Ｖｇ３に供給する駆動信号もオフ電圧に維持させる。この蓄積動作の間に、センサＳに暗電流に応じた電荷が蓄積される。
【００３２】
制御回路１０２は、蓄積動作が終了すると、読み出し動作に移行する。読み出し動作で、制御回路１０２は、センサ部１０５の各センサＳから画素行ごとにオフセット信号を読み出すように駆動回路１０６及び読み出し回路１０１を制御する。制御回路１０２はまず、図４でＦ［１］［１］によって示すように、１行目の画素行に含まれるセンサＳからオフセット信号を読み出す。具体的に、制御回路１０２は、スイッチ素子ＳＷ＿ＲＳＴ及びスイッチ素子ＳＷ＿ＣＤＳ１をオンにする。これによって、容量素子Ｃ＿ＳＨ１に、積分アンプ２０１のリセット時の電圧信号が保持される。その後、制御回路１０２は、スイッチ素子ＳＷ＿ＲＳＴをオフにし、続いてスイッチ素子ＳＷ＿ＣＤＳ１をオフにする。これによって、容量素子Ｃ＿ＳＨ１に保持された電圧信号がホールドされる。
【００３３】
続いて、制御回路１０２は、駆動回路１０６が１行目の駆動線Ｖｇ１に供給する駆動信号をオン電圧に切り替える。これにより、１行目に含まれるセンサＳに蓄積された電荷が各信号線Ｓｉｇに転送される。続いて、制御回路１０２は、スイッチ素子ＳＷ＿ＣＤＳ２をオンにする。これによって、容量素子Ｃ＿ＳＨ２に、センサＳに蓄積された電荷に応じた電圧信号が保持される。その後、制御回路１０２は、スイッチ素子ＳＷ＿ＣＤＳ２をオフにする。これによって、容量素子Ｃ＿ＳＨ２に保持された電圧信号がホールドされる。読み出し回路１０１は、Ｆ［１］［１］でＳＨ回路２０２にホールドされた２つの信号の差分をオフセット信号として読み出す。
【００３４】
続いて、制御回路１０２は、Ｆ［１］［２］に示すように２行目の画素行に含まれるセンサＳから同様にしてオフセット信号を読み出し、その後にＦ［１］［３］に示すように３行目の画素行に含まれるセンサＳから同様にしてオフセット信号を読み出す。以上により、１枚のオフセット画像を生成するための各画素からのオフセット信号が取得される。
【００３５】
リセット動作Ｒ［ｉ］で、制御回路１０２は、各駆動信号Ｖｇに供給される駆動信号を順次オン電圧に切り替えることによって、センサＳに蓄積された電荷を除去する。制御回路１０２は、リセット動作中に、読み出し回路１０１の駆動動作を行わなくてもよい。
【００３６】
図５（ａ）を参照して、可変抵抗素子Ｒ＿ＬＰＦと、ローパスフィルタ２０３の通過特性との関係について説明する。図５（ａ）のグラフの横軸は周波数を示し、縦軸はローパスフィルタ２０３によるゲイン（Ｇ）を示す。また、図５（ａ）の実線５０１はオフセット信号読み出し動作Ｆ［１］におけるローパスフィルタ２０３の周波数特性を示し、図５（ａ）の破線５０２は放射線信号読み出し動作Ｘ［１］におけるローパスフィルタ２０３の周波数特性を示す。図５（ａ）に示すように、制御回路１０２は、オフセット信号読み出し動作におけるローパスフィルタ２０３の通過帯域が放射線信号読み出し動作におけるローパスフィルタ２０３の通過帯域よりも狭くなるように、ローパスフィルタ２０３の設定を切り替える。
【００３７】
可変抵抗素子Ｒ＿ＬＰＦと容量素子Ｃ＿ＳＨ１とによってローパスフィルタ２０３が形成される場合に、そのカットオフ周波数Ｆｃは、１／｛２π×（可変抵抗素子Ｒ＿ＬＰＦの抵抗値）×（容量素子Ｃ＿ＳＨ１の容量値）｝で与えられる。従って、可変抵抗素子Ｒ＿ＬＰＦの抵抗値が大きいほど、ローパスフィルタ２０３の通過帯域は狭くなる。そこで、制御回路１０２は、オフセット信号読み出し動作における可変抵抗素子Ｒ＿ＬＰＦの抵抗値が放射線信号読み出し動作における可変抵抗素子Ｒ＿ＬＰＦの抵抗値よりも大きくなるように、可変抵抗素子Ｒ＿ＬＰＦの抵抗値を切り替える。その結果、オフセット信号読み出し動作Ｆ［１］においてローパスフィルタ２０３を通過する信号に含まれるノイズ量が低減され、それに応じてオフセット画像に含まれるノイズも低減される。
【００３８】
ローパスフィルタ２０３では、主に、信号線を通る信号に重畳したノイズや、積分アンプ２０１の基準電圧Ｖｒｅｆに重畳した周期的ノイズが除去される。このようなノイズは、放射線画像において行方向に延びるアーチファクト（いわゆる、横引きノイズ）の原因となる。本実施例では、このような横引きノイズを効果的に低減できる。
【００３９】
図３に示す動作例では、３０枚のオフセット信号読み出し動作中（時刻Ｔ１〜Ｔ２）に、可変抵抗素子Ｒ＿ＬＰＦの抵抗値が一定に維持される。しかし、これに代えて、制御回路１０２は、オフセット信号読み出し動作ごとに可変抵抗素子Ｒ＿ＬＰＦの抵抗値を変更してもよい。また、図３に示す動作例では、制御回路１０２は時刻Ｔ２において可変抵抗素子Ｒ＿ＬＰＦの抵抗値を変更するが、放射線信号読み出し動作Ｘ［１］が開始する前のどのタイミングで抵抗値を変更してもよい。
【００４０】
続いて、図６を参照して、第２実施例に係る放射線撮像装置１００の動作例について説明する。第２実施例で、制御回路１０２は、オフセット信号読み出し動作と、放射線信号読み出し動作とで、ＳＨ回路２０２の駆動動作を切り替える。その他の回路の駆動動作や読み出し回路１０１の設定については同じであってもよい。具体的に、図６に示すように、制御回路１０２は、オフセット信号読み出し動作と、放射線信号読み出し動作とで、ＳＨ回路２０２の駆動のタイミングを切り替える。図６に示すように、ＳＨ回路２０２の駆動の内容はオフセット信号読み出し動作と、放射線信号読み出し動作とで互いに等しくてもよい。
【００４１】
制御回路１０２は、オフセット信号読み出し動作における第１ＳＨ回路２０２ａのサンプリングモードの継続時間Ｔ＿Ｆ１を、放射線信号読み出し動作における第１ＳＨ回路２０２ａのサンプリングモードの継続時間Ｔ＿Ｘ１よりも長くする。さらに、制御回路１０２は、オフセット信号読み出し動作における第１ＳＨ回路２０２ｂのサンプリングモードの継続時間Ｔ＿Ｆ２を、放射線信号読み出し動作における第１ＳＨ回路２０２ｂのサンプリングモードの継続時間Ｔ＿Ｘ２よりも長くする。
【００４２】
サンプリングモードの継続時間Ｔ＿Ｆ１、Ｔ＿Ｆ２の間に、積分アンプ２０１からの電圧信号によって容量素子Ｃ＿ＳＨ１、Ｃ＿ＳＨ２に充電される。サンプリングモードの継続時間Ｔ＿Ｆ１、Ｔ＿Ｆ２が長いほど、容量素子Ｃ＿ＳＨ１、Ｃ＿ＳＨ２に充電される信号の精度が高まる。例えば、サンプリングモードの継続時間Ｔ＿Ｆ１、Ｔ＿Ｆ２はローパスフィルタ２０３の時定数の５倍以上の時間であってもよい。
【００４３】
第２実施例において、制御回路１０２は、可変抵抗素子Ｒ＿ＬＰＦの抵抗値を、オフセット信号読み出し動作と放射線信号読み出し動作とで互いに等しくしてもよい。この場合に、ローパスフィルタ２０３は、可変抵抗素子Ｒ＿ＬＰＦに変えて、固定抵抗素子を有してもよい。これに代えて、制御回路１０２は、第１実施例と同様に、可変抵抗素子Ｒ＿ＬＰＦの抵抗値を切り替えてもよい。この場合に、オフセット信号読み出し動作中のローパスフィルタ２０３の時定数が大きくなる。従って、それに応じて制御回路１０２はオフセット信号読み出し動作中のサンプリングモードの継続時間Ｔ＿Ｆ１、Ｔ＿Ｆ２を放射線信号読み出し動作中の継続時間Ｔ＿Ｘ１、Ｔ＿Ｘ２よりも長くする。
【００４４】
制御回路１０２が可変抵抗素子Ｒ＿ＬＰＦの抵抗値を変更しない場合に、制御回路１０２は、上述のサンプリングモードの継続時間Ｔ＿Ｆ１を上述のサンプリングモードの継続時間Ｔ＿Ｘ１よりも長くしてもよいし、短くしてもよい。さらに、制御回路１０２は、上述のサンプリングモードの継続時間Ｔ＿Ｆ２を上述のサンプリングモードのＴ＿Ｘ２よりも長くしてもよいし、短くしてもよい。図５（ｂ）はローパスフィルタ２０３の周波数特性を示す。ＳＨ回路２０２のサンプリングモードの継続時間をＴ＿ＳＨとした場合に、ローパスフィルタ２０３のゲインは、周波数が１／（Ｔ＿ＳＨ×ｎ）となる周波数で極小となる。そのため、オフセット信号読み出し動作と放射線信号読み出し動作とにおいて、サンプリングモードの継続時間を異なるようにすることによって、特定の周波数の外来ノイズの影響が軽減される。
【００４５】
図６に示すように、第２実施例では、オフセット信号読み出し動作中の読み出し動作に係る時間が、放射線信号読み出し動作中の読み出し動作に係る時間よりも長い。そこで、制御回路１０２は、蓄積動作に係る時間を調整することによって、１回のオフセット信号読み出し動作に係る時間と、１回の放射線信号読み出し動作に係る時間とを一致させてもよい。言い換えると、制御回路１０２は、オフセット画像取得のフレームレートと、放射線画像取得のフレームレートとを一致させてもよい。これにより、センサＳから信号を読み出すまでの正味の電荷蓄積時間がオフセット信号読み出し動作と放射線信号読み出し動作とで互いに等しくなる。
【００４６】
続いて、図７を参照して、第３実施例に係る放射線撮像装置１００の動作例について説明する。第３実施例で、制御回路１０２は、オフセット信号読み出し動作と、放射線信号読み出し動作とで、ＳＨ回路２０２の駆動動作を切り替える。その他の回路の駆動動作や読み出し回路１０１の設定については同じであってもよい。具体的に、図７に示すように、制御回路１０２は、オフセット信号読み出し動作と、放射線信号読み出し動作とで、ＳＨ回路２０２の駆動の内容を切り替える。
【００４７】
第３実施例では、放射線信号読み出し動作Ｘ［ｉ］は第１実施例と同様であるが、オフセット信号読み出し動作Ｆ［ｉ］が第１実施例とは異なる。以下では、１回目のオフセット信号読み出し動作Ｆ［１］を例として説明するが、他のオフセット信号読み出し動作Ｆ［ｉ］も同様である。
【００４８】
制御回路１０２はまず、上述のように、Ｆ［１］［１］において、１行目の画素行に含まれるセンサＳからオフセット信号を読み出す。具体的に、読み出し回路１０１は、Ｆ［１］［１］でＳＨ回路２０２にホールドされた２つの信号の差分をオフセット信号として読み出す。制御回路１０２は、このオフセット信号の読出しにおいて、第１ＳＨ回路２０２ａのサンプリングモードと第１ＳＨ回路２０２ｂのサンプリングモードとの間に、駆動回路１０６が１行目の駆動線Ｖｇ１に供給する駆動信号をオン電圧に切り替える。
【００４９】
その後、制御回路１０２は、Ｎ［１］［１］において、駆動回路１０６が１行目の駆動線Ｖｇ１に供給する駆動信号をオフ電圧に維持したまま、読み出し回路１０１に信号を出力させる。具体的に、制御回路１０２は、スイッチ素子ＳＷ＿ＲＳＴ及びスイッチ素子ＳＷ＿ＣＤＳ１をオンにする。これによって、容量素子Ｃ＿ＳＨ１に、積分アンプ２０１のリセット時の電圧信号が保持される。その後、制御回路１０２は、スイッチ素子ＳＷ＿ＲＳＴをオフにし、続いてスイッチ素子ＳＷ＿ＣＤＳ１をオフにする。これによって、容量素子Ｃ＿ＳＨ１に保持された電圧信号がホールドされる。続いて、制御回路１０２は、スイッチ素子ＳＷ＿ＣＤＳ２をオンにする。これによって、積分アンプ２０１のリセット後に、センサＳから信号が転送されていない信号線Ｓｉｇの電位に応じた電圧信号が容量素子Ｃ＿ＳＨ２に保持される。その後、制御回路１０２は、スイッチ素子ＳＷ＿ＣＤＳ２をオフにする。これによって、容量素子Ｃ＿ＳＨ２に保持された電圧信号がホールドされる。読み出し回路１０１は、Ｎ［１］［１］でＳＨ回路２０２にホールドされた２つの信号の差分を出力する。この差分をノイズ信号と呼ぶ。その後、制御回路１０２は、２行目の画素行、３行目の画素行についても同様の処理を行う。
【００５０】
制御回路１０２は、Ｎ［１］［１］において、第１ＳＨ回路２０２ａのサンプリングモードと第１ＳＨ回路２０２ｂのサンプリングモードとを連続して行い、その間に駆動回路１０６が１行目の駆動線Ｖｇ１に供給する駆動信号をオン電圧に切り替えることはない。信号処理回路１０３は、各画素についてオフセット信号からノイズ信号を減ずることによってオフセット画像を生成する。
【００５１】
ノイズ信号は、読み出し回路１０１で発生したノイズを含み、センサＳからの電荷に応じた成分を含まない。そのため、オフセット信号から、当該オフセット信号に連続して取得したノイズ信号を減ずることによって、オフセット信号から読み出し回路１０１で発生したノイズを除去できる。このようにオフセット画像を生成することによって、オフセット画像から低周波ノイズを除去することができる。具体的に、Ｆ［１］［１］における第１ＳＨ回路２０２ｂのサンプリングモードの開始からＮ［１］［１］における第１ＳＨ回路２０２ｂのサンプリングモードの開始までの時間の逆数よりも長い周波数を有するノイズが除去される。例えば、１画素行の読み出し動作に係る時間が数１０μ秒から数１００μ秒である場合に、１０ｋＨｚから１００ｋＨｚの比較的低周波のノイズが除去される。
【００５２】
さらに、本実施例では、放射線画像において列方向に延びるアーチファクト（いわゆる、縦引きノイズ）を効果的に低減できる。列方向に現れるノイズは主に、空間的ばらつきをもつ電磁ノイズが信号線Ｓｉｇに作用した結果として、ばらつきを有する信号が複数の積分アンプ２０１に与えられることに起因するためである。
【００５３】
ノイズ信号は、読み出し回路１０１で発生したノイズだけでなく、読み出し回路１０１のオフセット成分も含む。ここで、オフセット成分とは時間が経過しても変動しない成分であり、ノイズとは時間の経過とともに変動する成分である。そのため、オフセット信号からノイズ信号を減ずることによって生成されたオフセット画像は、読み出し回路１０１のオフセット成分を含まない。従って、オフセット画像を用いて放射線画像を補正したとしても、放射線画像に含まれる読み出し回路１０１のオフセット成分を除去できない場合がある。
【００５４】
そこで、本実施例では、Ｎ［１］［３］が終了した後、制御回路１０２は、積分アンプ２０１をリセットしたまま第１ＳＨ回路２０２ａによるサンプリングと第１ＳＨ回路２０２ｂによるサンプリングとを連続して実行してもよい。これによって、読み出し回路１０１のオフセット成分が取得される。この動作を図７ではＲＳＴ［１］で表す。具体的に、ＲＳＴ［１］の開始とともに、制御回路１０２は、制御回路１０２は、スイッチ素子ＳＷ＿ＲＳＴ及びスイッチ素子ＳＷ＿ＣＤＳ１をオンにする。これによって、容量素子Ｃ＿ＳＨ１に、積分アンプ２０１のリセット時の電圧信号が保持される。その後、制御回路１０２は、スイッチ素子ＳＷ＿ＲＳＴをオンにしたまま、スイッチ素子ＳＷ＿ＣＤＳ１をオフにする。これによって、容量素子Ｃ＿ＳＨ１に保持された電圧信号がホールドされる。続いて、制御回路１０２は、スイッチ素子ＳＷ＿ＣＤＳ２をオンにする。これによって、容量素子Ｃ＿ＳＨ２に、積分アンプ２０１のリセット時の電圧信号が保持される。その後、制御回路１０２は、スイッチ素子ＳＷ＿ＲＳＴ及びスイッチ素子ＳＷ＿ＣＤＳ２をオフにする。これによって、容量素子Ｃ＿ＳＨ２に保持された電圧信号がホールドされる。読み出し回路１０１は、ＲＳＴ［１］で、積分アンプ２０１のリセット中にＳＨ回路２０２にホールドされた２つの信号の差分をオフセット信号として読み出す。信号処理回路１０３は、各画素についてオフセット信号（Ｆ［１］［ｊ］で得られた信号）からノイズ信号（Ｎ［１］［ｊ］で得られた信号）を減じ、ＲＳＴ［１］で取得した信号を加えることによってオフセット画像を生成する。
【００５５】
図７の例では、ＲＳＴ［１］を１回だけ行って読み出し回路１０１のオフセット成分を取得する例を説明した。これに代えて、ＲＳＴ［１］を複数回行うことによって得られて複数個のオフセット成分を加算平均して１個のオフセット成分を取得してもよい。さらに、上記の例に変えて、以下のようにオフセット画像が生成されてもよい。ある画素についてのオフセット信号（Ｆ［１］［ｊ］で得られた信号）から当該画素に隣接する行且つ同じ列にある画素についてのオフセット信号（Ｆ［１］［ｊ−１］で得られた信号）を減じる。その後、ＲＳＴ［１］で取得した信号を加える。さらに、この例において、オフセット信号（Ｆ［１］［ｊ−１］で得られた信号）を減ずる代わりに、Ｆ［１］［ｊ−１］で得られたオフセット信号とＦ［１］［ｊ］で得られたオフセット信号との平均を減じてもよい。
【００５６】
第３実施例で、制御回路１０２は、オフセット画像取得のフレームレートと、放射線画像取得のフレームレートとを一致させてもよい。また、図７の例ではオフセット信号読み出し動作Ｆ［１］が蓄積動作を含まないが、制御回路１０２は、読み出し動作の前に蓄積動作を行ってもよい。さらに、第３実施例においても、第１実施例のような設定の切り替えや、第２実施例のような駆動タイミングの切り替えを併用してもよい。
【００５７】
上述の第１実施例〜第３実施例では、オフセット画像から低減されるノイズの種類が異なりうる。また、放射線撮像装置１００の設定によっては、上述の第１実施例〜第３実施例の何れかを実行することが困難である場合もある。例えば、第３実施例ではオフセット信号読み出し動作において信号読み出しの回数が多いので、高フレームレートの撮像には適さない場合がある。そこで、制御回路１０２は、第１実施例〜第３実施例の何れか１つのみを行うのではなく、これらの実施例のうちの何れを行うべきかを判定してもよい。図８を参照して、制御回路１０２が行う判定方法の一例について説明する。図８の動作はオフセット画像を取得するタイミングで開始される。
【００５８】
ステップ８０１で、制御回路１０２は、判定用のオフセット画像を２枚取得する。判定用のオフセット画像を取得する際の読み出し回路１０１の駆動動作は、上述の第１実施例〜第３実施例の何れかのオフセット信号読み出し動作であってもよいし、放射線信号読み出し動作であってもよい。
【００５９】
ステップ８０２で、制御回路１０２は、判定用のオフセット画像に含まれるノイズ量が閾値以下であるか否かを判定する。ノイズ量は、例えば以下のようにして算出される。制御回路１０２は、２枚のオフセット画像の差分を取る。この差分によって得られる画像を差分画像と呼ぶ。制御回路１０２は、差分画像の行方向及び列方向の画素値をそれぞれ平均し、行及び列の標準偏差を求める。制御回路１０２は、この標準偏差を判定用のオフセット画像に含まれるノイズ量とする。
【００６０】
ノイズ量が閾値以下である場合（ステップ８０２で「ＹＥＳ」）、制御回路１０２は、ステップ８０４で、ステップ８０１と同じ駆動動作の設定を用いて補正用のオフセット画像を取得する。補正用のオフセット画像を取得する方法は上述した通りであるので、ここでは繰り返さない。ノイズ量が閾値以下でない場合（ステップ８０２で「ＮＯ」）、制御回路１０２は、ステップ８０３で、読み出し回路１０１の駆動動作の設定を切り替える。切替後の駆動動作の設定は、上述の第１実施例〜第３実施例の何れかのオフセット信号読み出し動作のための設定であってもよいし、放射線信号読み出し動作のための設定であってもよいが、すでに判定に用いた駆動動作の設定は選択されない。制御回路１０２がステップ８０３で選択する駆動回路の設定の順番は事前に規定されていてもよいし、ランダムであってもよい。その後、制御回路１０２は、ステップ８０１からの処理を行うことによって、新たな駆動動作の設定を用いてノイズ量の判定を行う。
【００６１】
いずれの設定を用いてもノイズ量が閾値以下にならない場合に、制御回路１０２は、それまで判定された設定のうちノイズ量が一番少なかった設定を用いて補正用のオフセット画像を取得する。放射線撮像装置１００が複数の駆動方式を有する場合に、制御回路１０２は、駆動方式毎に図８の方法で判定用のオフセット画像を取得してもよい。さらに、制御回路１０２は、判定用のオフセット画像を解析することによって、補正用のオフセット画像を生成するために行うオフセット信号読み出し動作Ｆ［ｉ］の回数を決定してもよい。
【００６２】
続いて、図９を参照して、図１の放射線撮像装置１００を備える放射線撮像システムの構成例について説明する。図９の放射線撮像装置１００はポータブル型の放射線撮像装置であり、図１で説明した構成要素に加えて、無線通信部９０１とバッテリ９０２とを備える。無線通信部９０１は、信号処理回路１０３によって生成された画像を外部の装置に送信するとともに、外部の装置からの指示を制御回路１０２に供給する。バッテリ９０２は、電源回路１０４に電力を供給する。
【００６３】
放射線撮像システムは、制御システム９０３と放射線発生装置９０７とをさらに備える。制御システム９０３は、放射線撮像装置１００とデータを送受信する無線通信部９０５と、ユーザが放射線撮像装置１００を制御するためのコンピュータ９０４と、ユーザが画像や設定などを確認するためのディスプレイ９０６とを備える。放射線発生装置９０７は、放射線の曝射を制御する放射線制御部９０８と、放射線を発生する管球９０９と、曝射スイッチ９１０とを備える。
【００６４】
続いて、図１０を参照して、図１の放射線撮像装置１００を備える放射線撮像システムの別の構成例について説明する。図１０の放射線撮像装置１００は据置型の放射線撮像装置であり、図１で説明した構成要素に加えて、無線通信部９０１とバッテリ９０２とを備える。図９の放射線撮像システムとの共通の構成要素の説明を省略する。電源回路１０４は、放射線撮像装置１００の外部の壁コンセントから電力の供給を受ける。放射線撮像装置１００と制御システム９０３とは優先で接続される。
【００６５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
１００  放射線撮像装置、１０１  読出し回路、１０２  制御回路、１０５  センサ部、１０６  駆動回路
【図１】
2017046073.tif 000003
【図２】
2017046073.tif 000004
【図３】
2017046073.tif 000005
【図４】
2017046073.tif 000006
【図５】
2017046073.tif 000007
【図６】
2017046073.tif 000008
【図７】
2017046073.tif 000009
【図８】
2017046073.tif 000010
【図９】
2017046073.tif 000011
【図１０】
2017046073.tif 000012